(57)【要約】【課題】  薄型液晶テレビジョン受像機において、電源オフ時にインテリア的に違和感を生じさせないようにすること。【解決手段】  透明液晶表示パネル２と面状光源方式バックライト３との間に、絵画や写真などが描画または印刷されたフィルムシート３を配置する。電源がオフされている間は、表示パネル２が透明状態となり、当該表示パネル２を通して、フィルムシート３の絵画や写真が視認される。したがって、電源オフ時には、薄型液晶テレビジョン受像機１は、いわば額縁に入れられた絵画や写真などのインテリア製品と化す。【選択図】  図１
2006211450.tif 000002
【特許請求の範囲】
【請求項１】
電源オン時にテビジョン映像が表示される一方、電源オフ時に透明状態となる表示パネルと、
この表示パネルの裏側に配置され、絵画や写真などが描画または印刷されたフィルムシートと、を備えており、
電源オフ時には、上記表示パネルを通して、上記フィルムシートの絵画や写真などが視認されるようにしたことを特徴とするテレビジョン受像機。
【発明の詳細な説明】
【技術分野】
【０００１】
本発明は、スタンド式または壁掛け式の薄型テレビジョン受像機に関する。
【背景技術】
【０００２】
一般に、薄型液晶テレビジョン受像機は、液晶表示パネル、この液晶表示パネルの周辺に取り付けられたドライバー、および液晶表示パネルの裏側に配置され、光源となるバックライトなどから構成される表示ユニットを備えている。
【０００３】
例えば、特許文献１には、ＤＶＤレコーダーを一体化した、スタンド式薄型液晶テレビジョン受像機が開示されている。他方、例えば、特許文献２には、壁面に対して容易に据え付けることができ、かつ表示ユニットを使用者の見易い向きに設定できるようにした、壁掛け式薄型液晶テレビジョン受像機が開示されている。
【０００４】
【特許文献１】特開２００１−３３２０７４号公報
【特許文献２】特開２００４−１２７７３号公報
【発明の開示】
【発明が解決しようとする課題】
【０００５】
ところで、上記のスタンド式または壁掛け式の薄型液晶テレビジョンでは、電源オフ時には液晶表示パネルにテレビジョン映像が表示される一方、電源オフ時には液晶表示パネルはノーマリーブラックモードに移行して黒くなる。そのため、電源オン時には、液晶表示パネルにはテレビジョン映像が表示されるので、インテリア的にも問題がないが、電源オフ時には、液晶表示パネルは黒くなるので、インテリア的に違和感が生じる。
【０００６】
このような問題は、従来、民生用テレビのディスプレーの大きさが２０インチサイズ程度が主流であったものの、テレビのディスプレーがブラウン管から液晶やプラズマディスプレーに移行することに応じて、軽量化や大型化がはかられるようになってきている現在では、大きなディスプレーに何も表示されていないことが室内の美観を損ねる大きな問題となりつつある。
【０００７】
一方、パーソナルコンピュータにおいては、古くからスクリーンセーバという機能が存在し、この機能は、パソコンへの所定時間内の入力がなかった場合に、所定の動画がディスプレーに表示されるものである。このスクリーンセーバは、画面に何らかの画像を映し出して美観を奏させるということも目的としたものでなく、画面の焼きつき、つまり、余り長い時間同じ映像を表示しつづけるとその残像が後々も残ってしまうといった現象を防止する目的で付加されているものである。しかしながら、このようなパーソナルコンピュータに存在するスクリーンセーバ機能は、ディスプレーへの電源をＯＮ状態にしている状態を保持しなければならないので、家庭の主婦を満足させる民生品としては適したものとは言えない。
【０００８】
本発明は、上記技術的課題に鑑みなされたもので、電源オフ時にインテリア的に違和感を生じさせないで済む薄型テレビジョン受像機を提供することを目的とする。
【課題を解決するための手段】
【０００９】
上記目的を達成するため、本発明に係る薄型テレビジョン受像機は、当該薄型テレビジョン受像機の電源オン時にテレビジョン映像が表示される一方、電源オフ時に透明状態となる表示パネルと、この表示パネルの裏側に配置され、絵画や写真などが描画または印刷されたフィルムシートと、を備えており、電源オフ時には、上記表示パネルを通して、上記フィルムシートの絵画や写真などが視認されるようにしたものである。
【００１０】
前記電源オフ時にテレビジョン映像が表示される一方、電源オフ時に透明状態となる表示パネルとは、例えば、パチスロなどに導入されている透明有機ＥＬパネルや透明液晶といった表示パネルを採用することができる。そして、電源ＯＮ時には、図示しないチューナやケーブルテレビのデコーダを介して外部からの映像信号を受信し、前記表示パネルに当該映像信号に応じた映像を表示させるが、電源オフ時には、所謂透明なパネル状態となり背景側に位置する静止画像を描いた前記フィルムシートの静止画像を、当該パネル越しに正面側から視認可能に表示する。この時、背景側に位置する静止画像を更に明瞭に表示するために、前記表示パネルとフィルムシートとの間に、透明な偏光板であって、平面視矩形状の前記フィルムシートに描かれる静止画像を覆い隠せる面積を有するものを、前記静止画を覆い隠すように配置することもできる。そして、この偏光板の側面に省電力で発行状態を保持することが可能なＬＥＤ発光源を１つ以上配置し、このＬＥＤ発光源の光を前記偏光板が、その側面から取り込んで前記フィルムシートの静止画像に照射するように機能するべく構成することもできる。
【００１１】
この構成によれば、前記薄型テレビジョン受像機の電源ＯＦＦ時に、前記ＬＥＤ発光源を発光させることによって、略電力を消費することなくテレビジョン受像機の表示画面に前記静止画像を表示させて、テレビジョン受像機自体が所謂額縁のように機能することになる。
【発明の効果】
【００１２】
本発明によると、電源がオンされている間、表示パネルにはテビジョン映像が表示される。他方、電源がオフされている間は、表示パネルは透明状態となり、当該表示パネルを通して、フィルムシートの絵画や写真などが視認される。このように、電源オフ時には、薄型テビジョン受像機をインテリア製品（額縁的製品）として利用することができる。その結果、薄型テレビジョン受像機は、電源オフ時であってもインテリア的に違和感を生じさせない。
【発明を実施するための最良の形態】
【００１３】
以下、本発明の実施の形態を添付図面に基づき詳細に説明する。
【００１４】
図１は本発明の実施の形態に係る薄型液晶テビジョン受像機の表示ユニットの分解斜視図である。
図１を参照して、本実施の形態の薄型液晶テレビジョン受像機１は、スタンド式または壁掛け式のテレビジョン受像機であって、その表示ユニットは、透明液晶表示パネル２、フィルムシート３およびバックライト４をこの順で前フレーム５と後カバー６とで挟むようにして一体に組み立てられている。
【００１５】
透明液晶表示パネル２は、電源オン時にテレビジョン映像を表示する一方、電源オフ時に透明状態となる。この表示パネル２は、ＴＦＴアレー７とカラーフィルター８の２枚のガラス基板が貼り合わされ、その間に液晶材が封じ込められて成る。
【００１６】
ＴＦＴアレー７の基板には、透明液晶表示パネル２の画面に画像を表示するための最小単位である画素の配列が作り込まれており、その画素を駆動するためのゲート線、およびデータを供給するためのデータ信号線が設けられている。
【００１７】
ＴＦＴアレー７とカラーフィルター８との間には、それぞれの偏向板（図示せず）が貼り付けられている。
【００１８】
また、透明液晶表示パネル２には、その上辺に沿ってソースドライバー９が取り付けられている一方、その左辺に沿ってゲートドライバー１０が取り付けられている。これらドライバー９，１０は、ＴＦＴアレー７の各画素に電圧を供給して液晶分子の向きを制御する。
【００１９】
フィルムシート３は、透明液晶表示パネル２とその光源としてのバックライト４との間に配置されている。このフィルムシート３上には、絵画や写真などが描画または印刷されている。なお、フィルムシート３は、使用者の好みに応じて交換可能とされていることが好ましい。
【００２０】
なお、図示しないが、当該フィルムシート３の前面側に、透明な偏光板であって、平面視矩形状の前記フィルムシートに描かれる静止画像を覆い隠せる面積を有するものを、前記静止画を覆い隠すように配置することもできる。そして、この偏光板の側面に省電力で発行状態を保持することが可能なＬＥＤ発光源を１つ以上配置し、このＬＥＤ発光源の光を前記偏光板が、その側面から取り込んで前記フィルムシートの静止画像に照射するように機能するべく構成することもできる。勿論、このようなＬＥＤ発光源が側面に設けられた偏光板をフィルムシートの背面側に配置して、フィルムートに印刷などにより形成される静止画像を透かせて表示パネルの正面側から視認容易になるように構成することもできるが、透かせて表示するような正視画像は、ステンドガラス的な美観を奏するものに限定されてしまうため、写真や絵画などの幅広い静止画像に適用できるようにするために、偏光板を背面側に設けることが好ましい。
【００２１】
バックライト４は、透明液晶表示パネル２の画面が明るく、かつ画像が均一に見えるように、光を効率よく当該画面の前面に向かって照射させるように構成されている。本実施の形態では、バックライト４として、平面型蛍光ランプ、反射フィルムおよび給電用リード線を備えた面状光源方式バックライトが採用されている。代替的に、ランプ、ランプホルダー、導光板および拡散板を備えたサイドライト方式バックライトを適用しても構わない。
【００２２】
前フレーム５は、その主要部に四角形の開口が形成されており、この開口から透明液晶表示パネル２の画面を臨むことができる。他方、後カバー６は、前面が開放した箱形形状を有している。
【００２３】
図２は薄型液晶テレビジョン受像機の電気的構成を示すブロック図である。
図２を参照して、本薄型液晶テレビジョン受像機１には、上記の透明液晶表示パネル２、ソースドライバー９、ゲートドライバー１０およびバックライト４に加え、ＬＣＤコントローラー１１、画像メモリー１２、比較回路１３、比較結果記憶回路１４、ＢＬ波形制御回路１５およびインバーター回路１６が備えられている。
【００２４】
透明液晶表示パネル２は、その画面の縦方向に配された複数のソース信号線と横方向に配された複数のゲート信号線とが互いに交差するように設けられており、これらの交差部にアクティブ素子としてのＴＦＴを有するアクティブマトリクスタイプの表示パネルである。
【００２５】
ソースドライバー９は、上記各ソース信号線に表示信号を与える。他方、ゲートドライバー１０は、上記ゲート信号線を順次選択して上記ＴＦＴを順次オンにし、各画素への表示信号が書き込まれるように動作する。これらソースドライバー９およびゲートドライバー１０の動作は、ＬＣＤコントローラー１１により制御される。
【００２６】
画像メモリー１２は、１垂直同期前の映像信号の１画面分を記憶する。ここに、「１画面分」とは、インターレース方式では１フィールド分がこれに相当し、他方プログレッシブ方式では１フレーム分がこれに相当する。
【００２７】
比較回路１３は、画素毎に現映像信号と画像メモリー１２に記憶されている１垂直同期の映像信号（以下、単に「前映像信号」という）とを比較し、現映像信号が動画および静止画のいずれであるかを判定する。具体的には、第１の閾値ＴＨ１としての信号の差をＭとし、現映像信号と前映像信号との差がＭを超えているか否かを画素単位で判定する。このとき、現映像信号と前映像信号との差がＭを超えている場合には、その画素を動画画素と判定し、他方Ｍ未満である場合には、その画素を静止画画素と判定する。加えて、この比較回路１３では、ＲＧＢの各信号について別々に比較し、これら３信号のうち少なくとも１つの信号において上記閾値ＴＨ１を超えている場合には、その画素を動画画素と判定される。
【００２８】
比較結果記憶回路１４は、透明液晶表示パネル２の画面をゲート信号線の配列方向に沿って複数のブロックに分割し、これらブロック毎に上記の閾値ＴＨ１を超えた画素数をカウントする。
【００２９】
ＢＬ波形制御回路１５は、比較結果記憶回路１４が記憶するブロック毎の第１の閾値ＴＨ１を超えた画素数のカウント値Ｃを調べ、そのカウント値Ｃが第２の閾値ＴＨ２を超えているブロックを検出することによって、そのブロックには大きな動画物体が含まれていると判定する。加えて、このＢＬ波形制御回路１５では、上記カウント値Ｃが上記閾値ＴＨ２を超えるブロックの有無およびそのブロックの検出状態に応じて、インバーター回路１６への入力電圧の位相が制御される。
【００３０】
インバーター回路１６は、バックライト４に駆動電圧を印加し、それによって当該バックライト４を点灯および消灯させる。
【００３１】
上記構成において、電源がオンされている間は、画像メモリー１２からバックライト４に至る各手段１３〜１６によって当該バックライト４が点灯する。これと並行して、上記の薄型液晶テレビジョン受像機１に入力されたテレビジョン映像信号は、ＬＤＣコントローラー１１および比較回路１３に与えられる。ＬＣＤコントローラーでは、上記入力テレビジョン映像信号に基づいてソースドライバー９とゲートドライバー１０との両者を制御する。これにより、ソースドライバー９から透明液晶表示パネル２のソース信号線に表示信号が与えられ、ゲートドライバー１０により透明液晶表示パネル２の各ゲート信号線が走査されることにより、表示信号が各画素に書き込まれ、図３に示すように、当該表示パネル２において上記のテレビジョン映像信号の映像が表示される。
【００３２】
他方、電源がオフされている間は、透明液晶表示パネル２の画面が透明となる。このとき、図４に示すように、透明状態となった表示パネル２の画面を通して、フィルムシート３の絵画や写真が視認される。このようなテレビジョン受像機１の電源のＯＮ（オン）／ＯＦＦ（オフ）は、図に示す符号２０のボタンスイッチを用いて使用者が操作可能に構成されている。このようなスイッチは、無線で操作可能なリモコンスイッチなど、現在のテレビジョン受像機で使用可能なあらゆるスイッチを採用することが可能である。
【００３３】
上記のように、電源オフ時には、本薄型液晶テレビジョン受像機１は、いわば額縁に入った絵画や写真などのインテリア製品と化す。その結果、電源オフ時であっても、インテリア感覚を損なうことはない。
【００３４】
なお、本発明は上記実施の形態に限定されるものではない。例えば、上記実施の形態においては、バックライトを採用した例について記載したが、ＬＥＤなどを用いたフロントライトを採用しても本発明の目的は十分に達成し得る。また、上記実施の形態では、本発明を薄型液晶テレビジョン受像機に適用した例について記載したが、本発明を薄型プラズマテレビジョン受像機または薄型ＥＬテレビジョン受像機に適用しても同様の作用・効果を奏する。その他、本明細書に添付した特許請求の範囲内での種々の設計変更および修正を加え得ることは勿論である。
【産業上の利用可能性】
【００３５】
本発明は、電源オフ時にインテリア的に違和感を生じさせないで済むゆえ、スタンド式または壁掛け式の薄型テレビジョン受像機として有用である。
【図面の簡単な説明】
【００３６】
【図１】本発明の実施の形態に係る薄型液晶テレビジョン受像機の表示ユニットの分解斜視図
【図２】同薄型液晶テレビジョン受像機の電気的構成を示すブロック図
【図３】電源オン時の薄型液晶テレビジョン受像機の表示ユニットの状態を示す図
【図４】電源オフ時の薄型液晶テレビジョン受像機の表示ユニットの状態を示す図
【符号の説明】
【００３７】
１  薄型液晶テレビジョン受像機
２  透明液晶表示パネル
３  フィルムシート
４  バックライト
【図１】
2006211450.tif 000003
【図２】
2006211450.tif 000004
【図３】
2006211450.tif 000005
【図４】
2006211450.tif 000006